(57)【要約】【課題】複数の領域のうち少なくとも１つに対応する線画データに応じて、適切な処理を実行可能な筆記データ処理プログラム、筆記データ処理方法、および筆記データ処理システムを提供する。【解決手段】ＰＣのＣＰＵは、回答ファイルを取得する（Ｓ３２）。ＣＰＵは、線画データが、複数の対象領域のうちいずれかに対応しているかを判断する（Ｓ３５）。線画データが複数の対象領域のうちいずれかに対応している場合（Ｓ３５：ＹＥＳ）、ＣＰＵは、一単位の線画の長さが基準長さ未満であるかを判定する（Ｓ４１）。一単位の線画の長さが基準長さ未満の場合（Ｓ４１：ＹＥＳ）、ＣＰＵは、複数の領域データのうち特定領域データを、有効データとしてＰＣのＲＡＭに記憶する（Ｓ４４）。一単位の線画の長さが基準長さ以上の場合（Ｓ４１：ＮＯ）、ＣＰＵは、複数の領域データのうち特定領域データを、無効データとしてＲＡＭに記憶する（Ｓ５２）。【選択図】図８
2017174149.tif 000002
【特許請求の範囲】
【請求項１】
コンピュータに、
複数の対象領域を含む検出部において検出された、一単位の線画を示す線画データを取得する取得ステップと、
前記取得ステップで取得された前記線画データが、前記複数の対象領域のうちいずれかに対応しているかを判断する第一判断ステップと、
前記第一判断ステップで、前記線画データが前記複数の対象領域のうちいずれかに対応していると判断された場合、前記一単位の線画の長さが所定の基準長さ未満であるかを判定する判定ステップと、
前記判定ステップで、前記一単位の線画の長さが前記基準長さ未満であると判定された場合、前記複数の対象領域のそれぞれを示す複数の領域データのうち、前記第一判断ステップで前記線画データが対応していると判断された前記対象領域を示す特定領域データを、所定の第一データとして記憶部に記憶する第一記憶ステップと、
前記判定ステップで、前記一単位の線画の長さが前記基準長さ未満であると判定されなかった場合、前記複数の領域データのうち前記特定領域データを、前記第一データとは異なる第二データとして前記記憶部に記憶する第二記憶ステップとを実行させるための筆記データ処理プログラム。
【請求項２】
前記コンピュータに、
前記第一記憶ステップで前記第一データが前記記憶部に記憶される場合、前記記憶部に既に記憶されている前記第一データを、前記第二データとして前記記憶部に記憶する第三記憶ステップを実行させることを特徴とする請求項１に記載の筆記データ処理プログラム。
【請求項３】
前記コンピュータに、
前記第二記憶ステップで前記第二データが前記記憶部に記憶された場合、前記記憶部に記憶されている前記第二データのうち、前記第三記憶ステップで前記記憶部に最も遅く記憶された前記第二データを、前記第一データとして前記記憶部に記憶する第四記憶ステップを実行させることを特徴とする請求項２に記載の筆記データ処理プログラム。
【請求項４】
前記複数の対象領域は、前記対象領域を複数含む複数の一群の対象領域を有し、
前記第一記憶ステップは、前記一群の対象領域ごとに前記第一データを前記記憶部に記憶し、
前記第二記憶ステップは、前記一群の対象領域ごとに前記第二データを前記記憶部に記憶し、
前記第三記憶ステップは、前記一群の対象領域ごとに前記第二データを前記記憶部に記憶し、
前記第四記憶ステップは、前記一群の対象領域ごとに前記第一データを前記記憶部に記憶することを特徴とする請求項３に記載の筆記データ処理プログラム。
【請求項５】
前記線画データは、所定の第一方向および前記第一方向と直交する第二方向の位置によって、前記複数の対象領域のそれぞれに対応する領域であって、所定の形状で囲まれた複数の選択領域を含む筆記領域に筆記された前記一単位の線画を特定可能であって、
前記複数の対象領域の前記第一方向の長さは、それぞれ、前記複数の対象領域がそれぞれ対応する前記複数の選択領域の前記第一方向の長さよりも長く、
前記複数の対象領域の前記第二方向の長さは、それぞれ、前記複数の対象領域がそれぞれ対応する前記複数の選択領域の前記第二方向の長さよりも長いことを特徴とする請求項１から４のいずれかに記載の筆記データ処理プログラム。
【請求項６】
コンピュータがプログラムに従って実行可能な方法であって、
複数の対象領域を含む検出部において検出された、一単位の線画を示す線画データを取得する取得ステップと、
前記取得ステップで取得された前記線画データが、前記複数の対象領域のうちいずれかに対応しているかを判断する第一判断ステップと、
前記第一判断ステップで、前記線画データが前記複数の対象領域のうちいずれかに対応していると判断された場合、前記一単位の線画の長さが所定の基準長さ未満であるかを判定する判定ステップと、
前記判定ステップで、前記一単位の線画の長さが前記基準長さ未満であると判定された場合、前記複数の対象領域のそれぞれを示す複数の領域データのうち、前記第一判断ステップで前記線画データが対応していると判断された前記対象領域を示す特定領域データを、所定の第一データとして記憶部に記憶する第一記憶ステップと、
前記判定ステップで、前記一単位の線画の長さが前記基準長さ未満であると判定されなかった場合、前記複数の領域データのうち前記特定領域データを、前記第一データとは異なる第二データとして前記記憶部に記憶する第二記憶ステップとを含むことを特徴とする筆記データ処理方法。
【請求項７】
筆記具の複数の位置を検出可能であって、複数の対象領域を含む検出部と、
前記検出部によって検出された前記複数の位置によって、前記筆記具によって筆記された一単位の線画を示す線画データを送信する送信手段とを有する入力装置と、
前記送信手段によって送信された前記線画データを取得する取得手段と、
前記取得手段によって取得された前記線画データが、前記複数の対象領域のうちいずれかに対応しているかを判断する第一判断手段と、
前記第一判断手段によって、前記線画データが前記複数の対象領域のうちいずれかに対応していると判断された場合、前記一単位の線画の長さが所定の基準長さ未満であるかを判定する判定手段と、
前記判定手段によって、前記一単位の線画の長さが前記基準長さ未満であると判定された場合、前記複数の対象領域のそれぞれを示す複数の領域データのうち、前記第一判断手段によって前記線画データが対応していると判断された前記対象領域を示す特定領域データを、所定の第一データとして記憶部に記憶する第一記憶手段と、
前記判定手段によって、前記一単位の線画の長さが前記基準長さ未満であると判定されなかった場合、前記複数の領域データのうち前記特定領域データを、前記第一データとは異なる第二データとして前記記憶部に記憶する第二記憶手段とを有する筆記データ処理装置とを備えたことを特徴とする筆記データ処理システム。
【発明の詳細な説明】
【技術分野】
【０００１】
本発明は、筆記データ処理プログラム、筆記データ処理方法、および筆記データ処理システムに関する。
【背景技術】
【０００２】
台座上に置かれた用紙に、ユーザが筆記具で筆記したときの筆記具の移動の軌跡を電子化して記憶する筆記データ処理システムが知られている。例えば特許文献１に記載の筆記データ処理システムでは、ユーザは電子ペンを用いて読取装置に装着された紙媒体の用紙に線画を筆記する。読取装置のＣＰＵは、電子ペンの位置を特定可能な座標データを取得する。ＣＰＵは、取得した線画データに基づいて、用紙に設けられた第二チェックボックスに筆記された線画が一重線、二重線、および三重線のいずれであるかを判断する。ＣＰＵは、第二チェックボックスに筆記された線画が一重線、二重線、および三重線のいずれであるかに基づいて、それぞれ異なる処理を行う。
【先行技術文献】
【特許文献】
【０００３】
【特許文献１】特開２０１５−１０９０５２号公報
【発明の概要】
【発明が解決しようとする課題】
【０００４】
例えば、筆記データ処理システムを用いてアンケートをとることが考えられる。この場合、複数の選択肢が設けられたアンケート用紙が、読取装置に装着される。アンケートの回答者は、アンケート用紙に設けられた複数の選択肢から１つの選択肢にチェックマークを筆記する。回答者は、誤って不適当な選択肢にチェックマークを筆記してしまう場合がある。この場合、回答者は、適当な選択肢にチェックマークを筆記し直す。その後、回答者は、誤ってチェックマークを筆記した不適当な選択肢に二重線等の特定の形状の線画を筆記して訂正を行う。
【０００５】
上記の筆記データ処理システムの技術を適用し、筆記された線画が特定の形状の線画であるかを判断することが考えられる。筆記された線画が特定の形状である場合、読取装置は、特定の形状の線画が筆記された選択肢を、不適当な選択肢として無効にできる。しかし、不適当な選択肢を訂正するために筆記される線画は、特定の形状に限られない。例えば、回答者は、左右方向に複数回往復して形成される形状の線画を筆記して訂正を行う場合がある。このため、筆記された線画が特定の形状であるかを判別することが困難な場合があった。従って、回答者が誤ってチェックマークを筆記した不適当な選択肢が、無効にされずに有効な選択肢として特定される可能性があった。
【０００６】
本発明の目的は、複数の領域のうち少なくとも１つに対応する線画データに応じて、適切な処理を実行可能な筆記データ処理プログラム、筆記データ処理方法、および筆記データ処理システムを提供することである。
【課題を解決するための手段】
【０００７】
本発明の第一態様に係る筆記データ処理プログラムは、コンピュータに、複数の対象領域を含む検出部において検出された、一単位の線画を示す線画データを取得する取得ステップと、前記取得ステップで取得された前記線画データが、前記複数の対象領域のうちいずれかに対応しているかを判断する第一判断ステップと、前記第一判断ステップで、前記線画データが前記複数の対象領域のうちいずれかに対応していると判断された場合、前記一単位の線画の長さが所定の基準長さ未満であるかを判定する判定ステップと、前記判定ステップで、前記一単位の線画の長さが前記基準長さ未満であると判定された場合、前記複数の対象領域のそれぞれを示す複数の領域データのうち、前記第一判断ステップで前記線画データが対応していると判断された前記対象領域を示す特定領域データを、所定の第一データとして記憶部に記憶する第一記憶ステップと、前記判定ステップで、前記一単位の線画の長さが前記基準長さ未満であると判定されなかった場合、前記複数の領域データのうち前記特定領域データを、前記第一データとは異なる第二データとして前記記憶部に記憶する第二記憶ステップとを実行させる。
【０００８】
本発明の第二態様に係る筆記データ処理方法は、コンピュータがプログラムに従って実行可能な方法であって、複数の対象領域を含む検出部において検出された、一単位の線画を示す線画データを取得する取得ステップと、前記取得ステップで取得された前記線画データが、前記複数の対象領域のうちいずれかに対応しているかを判断する第一判断ステップと、前記第一判断ステップで、前記線画データが前記複数の対象領域のうちいずれかに対応していると判断された場合、前記一単位の線画の長さが所定の基準長さ未満であるかを判定する判定ステップと、前記判定ステップで、前記一単位の線画の長さが前記基準長さ未満であると判定された場合、前記複数の対象領域のそれぞれを示す複数の領域データのうち、前記第一判断ステップで前記線画データが対応していると判断された前記対象領域を示す特定領域データを、所定の第一データとして記憶部に記憶する第一記憶ステップと、前記判定ステップで、前記一単位の線画の長さが前記基準長さ未満であると判定されなかった場合、前記複数の領域データのうち前記特定領域データを、前記第一データとは異なる第二データとして前記記憶部に記憶する第二記憶ステップとを含む。
【０００９】
本発明の第三態様に係る筆記データ処理システムは、筆記具の複数の位置を検出可能であって、複数の対象領域を含む検出部と、前記検出部によって検出された前記複数の位置によって、前記筆記具によって筆記された一単位の線画を示す線画データを送信する送信手段とを有する入力装置と、前記送信手段によって送信された前記線画データを取得する取得手段と、前記取得手段によって取得された前記線画データが、前記複数の対象領域のうちいずれかに対応しているかを判断する第一判断手段と、前記第一判断手段によって、前記線画データが前記複数の対象領域のうちいずれかに対応していると判断された場合、前記一単位の線画の長さが所定の基準長さ未満であるかを判定する判定手段と、前記判定手段によって、前記一単位の線画の長さが前記基準長さ未満であると判定された場合、前記複数の対象領域のそれぞれを示す複数の領域データのうち、前記第一判断手段によって前記線画データが対応していると判断された前記対象領域を示す特定領域データを、所定の第一データとして記憶部に記憶する第一記憶手段と、前記判定手段によって、前記一単位の線画の長さが前記基準長さ未満であると判定されなかった場合、前記複数の領域データのうち前記特定領域データを、前記第一データとは異なる第二データとして前記記憶部に記憶する第二記憶手段とを有する筆記データ処理装置とを備える。
【００１０】
上記第一〜第三態様によれば、一単位の線画の長さが基準長さ未満の場合、複数の領域データのうち特定領域データが、第一データとして記憶部に記憶される。一方、一単位の線画の長さが基準長さ以上の場合、複数の領域データのうち特定領域データが、第二データとして記憶部に記憶される。一単位の線画の長さに応じて異なる処理が実行される。従って、筆記データ処理プログラム、筆記データ処理方法、および筆記データ処理システムは、複数の領域のうち少なくとも１つに対応する線画データに応じて、適切な処理を実行できる。
【図面の簡単な説明】
【００１１】
【図１】筆記データ処理システム１の概要図である。
【図２】読取装置２およびＰＣ１９の電気的構成を示すブロック図である。
【図３】検出領域９０の正面図である。
【図４】用紙１２３の正面図である。
【図５】一単位の線画９Ａ〜９Ｌが筆記された順番を示す説明図である。
【図６】第一メイン処理のフローチャートである。
【図７】テーブル２２Ａの概要図である。
【図８】第二メイン処理のフローチャートである。
【図９】領域データのデータ種別の流れの説明図である。
【発明を実施するための形態】
【００１２】
以下、本発明の一実施形態について、図面を参照して説明する。以下の説明では、図１の左上側、右下側、上側、下側、右上側、および左下側を、それぞれ、読取装置２の左側、右側、前側、後側、上側、および下側と定義する。
【００１３】
図１を参照し、筆記データ処理システム１の概要を説明する。筆記データ処理システム１は、読取装置２、電子ペン３、ＰＣ１９等を含む。読取装置２は、薄型軽量の手書き入力装置である。筆記データ処理システム１では、ユーザは電子ペン３を用いて、読取装置２に装着された紙媒体１００の用紙１１１に線画を筆記する。線画には、文字、数字、記号、図形等が含まれる。読取装置２は、筆記の過程における電子ペン３の位置を取得する。
【００１４】
ＰＣ１９は、読取装置２で特定された複数の位置を取得する。ＰＣ１９は、取得した複数の位置に基づき、電子ペン３によって用紙１１１に筆記された線画を特定する。ＰＣ１９は、特定した線画に対応する処理を実行できる。
【００１５】
ＰＣ１９は、特定された線画を少なくとも含む画像の画像ファイルを作成できる。ユーザは、作成された複数の画像ファイルのいずれかを選択する操作を、入力部１９１を介して入力する。ＰＣ１９は、選択された画像ファイルに対応する画像を、ディスプレイ１９２に表示させる。ユーザは、電子ペン３によって紙媒体１００に筆記された線画と同一形状の線画を含む画像を、ディスプレイ１９２を介して視認できる。
【００１６】
読取装置２は、矩形薄板状である。読取装置２の前面には、装着部２Ａがある。読取装置２の上端には、ＬＥＤ５がある。装着部２Ａの後側には、後述のセンサ基板７（図２参照）がある。装着部２Ａには、紙媒体１００が着脱可能に装着される。紙媒体１００は、上端部が綴じられた複数の用紙１１１を含む。用紙１１１には、文字、線分等のレイアウトを示すフォーマットがあらかじめ印刷される。複数の用紙１１１のフォーマットは、複数の用紙１１１のそれぞれで異なる場合がある。紙媒体１００は、両面テープおよび粘着性を有する樹脂フィルム等によって、紙媒体１００が装着部２Ａに位置決めされた状態で、装着部２Ａに装着される。ユーザは、装着部２Ａに装着された紙媒体１００の用紙１１１に、電子ペン３を用いて線画を筆記できる。
【００１７】
電子ペン３は、公知の電磁誘導式の電子ペンであり、筒体３０、芯体３１、コイル３２、コンデンサ３３，３５、基板３４、インク収納部３６、図示外のスイッチ等を備える。筒体３０は円柱状の形状である。筒体３０の内部には、芯体３１の一部、コイル３２、コンデンサ３３，３５、基板３４、およびインク収納部３６が収容される。芯体３１は、電子ペン３の先端部に設けられる。芯体３１は、図示外の弾性部材によって、電子ペン３の先端側に付勢される。芯体３１の先端部は、筒体３０の外部に突出する。芯体３１の後端側は、インクが収納されているインク収納部３６に接続される。インク収納部３６は、芯体３１にインクを供給する。ユーザが電子ペン３を用いて用紙１１１に筆記する動作を行うと、インクによって用紙１１１に線画が形成される。
【００１８】
コイル３２は、インク収納部３６の周囲に巻かれた状態で、芯体３１とコンデンサ３３との間に保持される。コンデンサ３３は、基板３４によって電子ペン３の内部に固定される。基板３４には、コンデンサ３５が搭載される。コンデンサ３３，３５はコイル３２に並列に接続される。コンデンサ３３は、周知の共振（同調）回路を構成する。図示外のスイッチは、芯体３１の後方に設けられる。スイッチは、筒体３０から芯体３１が突出した状態でオフとなる。スイッチは、筒体３０に芯体３１が進入した状態でオンとなる。スイッチがオンとなったとき、コイル３２は導通状態となる。スイッチがオフとなったとき、コイル３２は非導通状態となる。このため、電子ペン３による筆記が行われていない場合、芯体３１は筒体３０から突出するので、スイッチはオフとなり、コイル３２は非導通状態となる。一方、電子ペン３による筆記が行われている場合、芯体３１は筒体３０の内部に進入するので、スイッチはオンとなり、コイル３２は導通状態となる。
【００１９】
ＰＣ１９は、入力部１９１とディスプレイ１９２とを備える。入力部１９１は、各種指示を入力できる。ディスプレイ１９２は、画像ファイルが示す画像を表示できる。なお、筆記データ処理システム１では、ＰＣ１９の代わりにスマートフォン、タブレットＰＣ等が採用されてもよい。
【００２０】
図２を参照し、筆記データ処理システム１の電気的構成を説明する。読取装置２の電気的構成を説明する。読取装置２は、メイン基板２０、センサ制御基板２８、センサ基板７、入力部２５、およびＬＥＤ５を備える。メイン基板２０は、ＣＰＵ２１、ＲＡＭ２２、フラッシュメモリ２３、および無線通信部２４を備える。センサ制御基板２８は、ＡＳＩＣ２８Ａを備える。ＣＰＵ２１は、ＲＡＭ２２、フラッシュメモリ２３、無線通信部２４、入力部２５、ＬＥＤ５、およびＡＳＩＣ２８Ａに電気的に接続される。センサ基板７は、ＡＳＩＣ２８Ａに電気的に接続される。
【００２１】
ＣＰＵ２１は、読取装置２の制御を行う。ＲＡＭ２２は、演算データ等の各種データを一時的に記憶する。ＲＡＭ２２は、例えば後述のテーブル２２Ａ（図７参照）を記憶する。フラッシュメモリ２３は、ＣＰＵ２１が実行するプログラム等を記憶する。プログラムは、読取装置２の出荷時にフラッシュメモリ２３にあらかじめ記憶される。プログラムは、出荷後に書き換え可能であってもよい。ＣＰＵ２１は、無線通信部２４を介してプログラムを受信し、フラッシュメモリ２３に記憶できてもよい。
【００２２】
無線通信部２４は、外部の電子機器（例えば、ＰＣ１９）と近距離無線通信を実行するためのコントローラである。入力部２５は、読取装置２に対する指示を入力するためのスイッチである。ＡＳＩＣ２８Ａは、電子ペン３による筆記動作がセンサ基板７上で行われた場合に、電子ペン３の位置を示す座標データを検出する。センサ基板７には、上下方向および左右方向の各々に細長いループコイルが複数配列される。
【００２３】
以下、図３に示すように、読取装置２（図１参照）の前面のうちセンサ基板７（図２参照）においてループコイルが配列されている部分に対応する領域を、検出領域９０という。ＡＳＩＣ２８Ａは、所定の位置を原点とし、かつ、左右方向（横方向）および上下方向（縦方向）を、それぞれ、座標のＸ軸方向およびＹ軸方向とする。検出領域９０には、対象領域９１Ａ〜９１Ｃ，９２Ａ〜９２Ｃ，９３Ａ〜９３Ｃ，９４Ａ〜９４Ｃおよび終了領域９５が含まれる。対象領域９１Ａ〜９１Ｃは、左方から順に配置される。対象領域９２Ａ〜９２Ｃは、左方から順に配置される。対象領域９３Ａ〜９３Ｃは、左方から順に配置される。対象領域９４Ａ〜９４Ｃは、左方から順に配置される。対象領域９１Ａ〜９１Ｃ、対象領域９２Ａ〜９２Ｃ、対象領域９３Ａ〜９３Ｃ、および対象領域９４Ａ〜９４Ｃは、上方から順に配置される。以下、対象領域９１Ａ〜９１Ｃ，９２Ａ〜９２Ｃ，９３Ａ〜９３Ｃ，９４Ａ〜９４Ｃのいずれかを特定しない場合、対象領域という。対象領域は、正方形状である。終了領域９５は、検出領域９０の右下角部に配置される。終了領域９５は左右方向に長い矩形状である。対象領域９１Ａ〜９１Ｃ、対象領域９２Ａ〜９２Ｃ、対象領域９３Ａ〜９３Ｃ、および対象領域９４Ａ〜９４Ｃは、それぞれ、一群の対象領域９１〜９４に属する。一群の対象領域９１〜９４のいずれかを特定しない場合、一群の対象領域という。
【００２４】
図２を参照し、読取装置２の動作原理を説明する。センサ基板７上で電子ペン３による筆記動作が行われた場合に座標データが検出される原理を、概略的に説明する。ＣＰＵ２１は、ＡＳＩＣ２８Ａを制御して、センサ基板７の複数のループコイルに一本ずつ特定の周波数の電流（励磁用送信電流）を流す。これにより、センサ基板７の複数のループコイルのそれぞれから、磁界が発生する。
【００２５】
この状態で、例えばユーザが電子ペン３を用いて、装着部２Ａに装着された紙媒体１００の用紙１１１に、線画を筆記する動作を行ったとする。この場合、電子ペン３はセンサ基板７に近接する。筆記の動作に応じて、電子ペン３の芯体３１が筒体３０内に進入する。スイッチはオンとなり、コイル３２は導通状態となる。このため、電子ペン３の共振回路は電磁誘導によって共振し、誘導磁界を生じる。
【００２６】
ＣＰＵ２１はＡＳＩＣ２８Ａを制御して、センサ基板７の複数のループコイルのそれぞれからの磁界の発生を停止させる。センサ基板７のループコイルは、電子ペン３の共振回路から発せられる誘導磁界を受信する。ＣＰＵ２１はＡＳＩＣ２８Ａを制御して、センサ基板７の複数のループコイルに流れる信号電流（受信電流）を検出する。ＡＳＩＣ２８Ａは、この動作を複数のループコイルのすべてについて一本ずつ実行する。ＡＳＩＣ２８Ａは、受信電流を検出した場合のループコイルの位置を、電子ペン３の位置を示す座標データとして特定する。ＡＳＩＣ２８Ａは、特定した座標データをＣＰＵ２１に出力する。ＡＳＩＣ２８Ａから座標データが出力された場合、装着部２Ａの後側のセンサ基板７に電子ペン３が近接し、かつ芯体３１が筒体３０内に進入している（図１参照）。このため、ＣＰＵ２１は、装着部２Ａに装着された紙媒体１００の用紙１１１に電子ペン３によって線画が筆記されていると判断する。
【００２７】
ＣＰＵ２１は、線画が筆記されていると判断した場合、ＡＳＩＣ２８Ａから出力された座標データを取得する。ＣＰＵ２１は、取得した座標データが検出された時間を取得する。ＣＰＵ２１は、取得した座標データと時間データとを関連付けてＲＡＭ２２の所定領域に記憶する。ＣＰＵ２１は、電子ペン３による線画の筆記が開始されてから終了されるまで、座標データおよび時間データの取得を繰り返す。以下、線画の筆記が開始されてから終了されるまで（電子ペン３のスイッチがオンとなってから、次にオフとなるまで）、一連の筆記で筆記される線画を、一単位の線画という。一単位の線画を特定可能な座標データ、および座標データのそれぞれに関連付けられた複数の時間データを、総称して線画データという。
【００２８】
ＰＣ１９の電気的構成を説明する。ＰＣ１９は、ＣＰＵ４１、ＲＡＭ４２、フラッシュメモリ４３、無線通信部４４、入力回路４５、出力回路４６、入力部１９１、およびディスプレイ１９２を備える。ＣＰＵ４１は、ＰＣ１９の制御を行う。ＣＰＵ４１は、ＲＡＭ４２、フラッシュメモリ４３、無線通信部４４、入力回路４５、および出力回路４６に電気的に接続される。
【００２９】
ＲＡＭ４２は、種々の一時データを記憶する。無線通信部４４は、外部の電子機器（例えば、読取装置２）と近距離無線通信を実行するためのコントローラである。入力回路４５は、ＣＰＵ４１へ入力部１９１からの指示を送る制御を行う。出力回路４６は、ＣＰＵ４１からの指示に応じてディスプレイ１９２に画像を表示する制御を行う。
【００３０】
フラッシュメモリ４３には、ＣＰＵ４１が実行するプログラム等が記憶される。ＰＣ１９は、図示外の媒体読取装置（例えば、ＣＤ−ＲＯＭドライブ）を備える。ＰＣ１９は、記憶媒体（例えば、ＣＤ−ＲＯＭ）に記憶されているプログラムを、媒体読取装置で読み取ってフラッシュメモリ４３にインストールできる。ＰＣ１９に接続されている図示外の外部機器またはネットワークからプログラムを受信して、フラッシュメモリ４３にインストールしてもよい。
【００３１】
図４を参照し、用紙１１１の一例である用紙１２３を説明する。以下の説明では、図４の左側、右側、上側、および下側を、それぞれ、用紙１２３の左側、右側、上側、および下側と定義する。図４は、紙媒体１００の１ページ分の用紙１２３を示す。
【００３２】
図４に示すように、用紙１２３は、アンケートをとるためのアンケート用紙である。以下、ユーザのうちアンケートに回答する者を、回答者という。用紙１２３には、アンケート用のフォーマットがあらかじめ印刷されている。具体的には、用紙１２３の左部には、質問番号５１〜５４が上方から順に印刷されている。質問番号５１〜５４は、それぞれ、「Ｑ．１」〜「Ｑ．４」を示す。以下、質問番号５１〜５４のいずれかを特定しない場合、質問番号という。用紙１２３の上部には、選択肢６１Ａ〜６１Ｃが左方から順に印刷されている。選択肢６１Ａ〜６１Ｃは、それぞれ、「（Ａ）」〜「（Ｃ）」を示す。以下、選択肢６１Ａ〜６１Ｃのいずれかを特定しない場合、選択肢という。
【００３３】
用紙１２３において、質問番号５１〜５４の右側には、それぞれ、選択ボックス７１Ａ〜７１Ｃ、選択ボックス７２Ａ〜７２Ｃ、選択ボックス７３Ａ〜７３Ｃ、および選択ボックス７４Ａ〜７４Ｃが印刷されている。選択ボックス７１Ａ〜７１Ｃは、左方から順に配置される。選択ボックス７２Ａ〜７２Ｃは、左方から順に配置される。選択ボックス７３Ａ〜７３Ｃは、左方から順に配置される。７４Ａ〜７４Ｃは、左方から順に配置される。選択ボックス７１Ａ〜７４Ａ，７１Ｂ〜７４Ｂ，７１Ｃ〜７４Ｃは、それぞれ、選択肢６１Ａ，６１Ｂ，６１Ｃと対応している。以下、選択ボックス７１Ａ〜７１Ｃ，７２Ａ〜７２Ｃ，７３Ａ〜７３Ｃのいずれかを特定しない場合、選択ボックスという。
【００３４】
選択ボックスは、正方形状の１重線である。対象領域の左右方向（Ｘ軸方向）の長さＡ１は、選択ボックスの左右方向（Ｘ軸方向）の長さＢ１（図３参照）よりも長い。対象領域の上下方向（Ｙ軸方向）の長さＡ２は、選択ボックスの上下方向（Ｙ軸方向）の長さＢ２（図３参照）よりも長い。選択ボックスは、各質問番号についての回答が、複数の選択肢のいずれであるかを示すために、回答者が一単位の線画（例えばチェックマーク）を筆記する領域を示す。選択ボックス７１Ａ〜７１Ｃ、選択ボックス７２Ａ〜７２Ｃ、選択ボックス７３Ａ〜７３Ｃ、および選択ボックス７４Ａ〜７４Ｃは、それぞれ、一群の選択ボックス７１〜７４に属する。一群の選択ボックス７１〜７４は、それぞれ、質問番号５１〜５４と対応している。以下、一群の選択ボックス７１〜７３のいずれかを特定しない場合、一群の選択ボックスという。
【００３５】
用紙１２３の右下角部には、終了ボックス７５が印刷されている。終了ボックス７５は、用紙１２３に筆記された線画を確定させるために、回答者が線画を筆記する領域を示す。終了ボックス７５は、矩形状の１重線である。終了ボックス７５の形状および大きさは、終了領域９５（図３参照）の形状および大きさと略等しい。
【００３６】
紙媒体１００が装着部２Ａに装着された場合、用紙１２３の選択ボックスおよび終了ボックス７５は、それぞれ、対象領域上および終了領域９５上に配置される。具体的には、選択ボックス７１Ａ〜７１Ｃ，７２Ａ〜７２Ｃ，７３Ａ〜７３Ｃ，７４Ａ〜７４Ｃは、それぞれ、対象領域９１Ａ〜９１Ｃ，９２Ａ〜９２Ｃ，９３Ａ〜９３Ｃ，９４Ａ〜９４Ｃ上に配置される。図４は、装着部２Ａに紙媒体１００が装着された場合の選択ボックスと対象領域との位置関係を説明するために、一例として対象領域９４Ｃを仮想線で示している。装着部２Ａに紙媒体１００が装着された場合、各対象領域上の中央部に選択ボックスが配置される。
【００３７】
図４および図５を参照し、用紙１２３の使用例を説明する。回答者は、質問番号ごとにアンケートの回答を行う。具体的には、回答者は、回答を行う質問番号と対応する一群の選択ボックスに属する複数の選択ボックスのうち、いずれかの内側にチェックマークを筆記する。内側にチェックマークが筆記された選択ボックスに対応する選択肢は、その選択ボックスが属する一群の選択ボックスが対応する質問番号の回答である。
【００３８】
例えば、回答者は、不適当な選択肢に対応する選択ボックス内にチェックマークを筆記する場合がある。この場合、回答者は、次に説明する第一工程と第二工程とを含む訂正作業を行う。第一工程では、回答者は、不適当な選択肢に対応する選択ボックス内に筆記した線画の上から、左右方向に複数回往復して形成される一単位の線画（以下、訂正線という。）を筆記する。第二工程では、回答者は、適当な選択肢に対応する選択ボックスにチェックマークを筆記し直す。回答者は、第一工程、第二工程の順、および第二工程、第一工程の順のいずれかの順で訂正作業を行う。
【００３９】
回答者は、アンケートへの回答を終了する場合、終了ボックス７５に線画を筆記する。例えば、回答者は、すべての質問番号について回答を行った場合に終了ボックス７５に線画を筆記する。
【００４０】
図４の例では、用紙１２３には一単位の線画９Ａ〜９Ｍが筆記されている。一単位の線画９Ａ，９Ｃ，９Ｄ，９Ｅ，９Ｈ，９Ｇ，９Ｊ，９Ｌ，９Ｍは、チェックマークを示す。以下、一単位の線画９Ａ，９Ｃ，９Ｄ，９Ｅ，９Ｈ，９Ｇ，９Ｊ，９Ｌ，９Ｍを、チェックマーク９Ａ，９Ｃ，９Ｄ，９Ｅ，９Ｈ，９Ｇ，９Ｊ，９Ｌ，９Ｍともいう。チェックマーク９Ａ，９Ｃ，９Ｄ，９Ｅ，９Ｈ，９Ｇ，９Ｊ，９Ｌ，９Ｍの長さは、それぞれ、後述の基準長さ未満である。選択ボックス７１Ａ，７２Ａ，７３Ａ，７４Ｃには、それぞれ、線画９Ｂ，９Ｆ，９Ｉ，９Ｋが筆記されている。一単位の線画９Ｂ，９Ｆ，９Ｉ，９Ｋは、訂正線を示す。以下、一単位の線画９Ｂ，９Ｆ，９Ｉ，９Ｋを、訂正線９Ｂ，９Ｆ，９Ｉ，９Ｋともいう。訂正線９Ｂ，９Ｆ，９Ｉ，９Ｋの長さは、それぞれ、後述の基準長さ以上である。
【００４１】
一単位の線画９Ａ〜９Ｍは、一単位の線画９Ａ〜９Ｍの順に筆記されている。詳細には、図５に示すように、回答者は、チェックマーク９Ａを選択ボックス７１Ａ内に筆記する。回答者は、訂正線９Ｂを選択ボックス７１Ａ内に筆記する。回答者は、チェックマーク９Ｃを選択ボックス７１Ｂ内に筆記する。つまり、第一工程、第二工程の順に訂正作業が行われている。この場合、質問番号５１について、回答者の適当な回答は、選択肢６１Ｂである。
【００４２】
回答者は、チェックマーク９Ｄを選択ボックス７２Ａ内に筆記する。回答者は、チェックマーク９Ｅを選択ボックス７２Ｂ内に筆記する。回答者は、訂正線９Ｆを選択ボックス７２Ａ内に筆記する。つまり、第二工程、第一工程の順に訂正作業が行われている。この場合、質問番号５２について、回答者の適当な回答は、選択肢６１Ｂである。
【００４３】
回答者は、チェックマーク９Ｇを選択ボックス７３Ｂ内に筆記する。回答者は、チェックマーク９Ｈを選択ボックス７３Ａ内に筆記する。回答者は、訂正線９Ｉを選択ボックス７３Ａ内に筆記する。つまり、第二工程、第一工程の順に訂正作業が行われている。この場合、質問番号５３について、回答者の適当な回答は、選択肢６１Ｂである。
【００４４】
回答者は、チェックマーク９Ｊを選択ボックス７４Ｃ内に筆記する。回答者は、訂正線９Ｋを選択ボックス７４Ｃ内に筆記する。選択ボックス７４Ｃには、チェックマーク９Ｊおよび訂正線９Ｋが既に筆記されているため、回答者は、チェックマーク９Ｌを選択ボックス７４Ｃの上側近傍に筆記する。つまり、第一工程、第二工程の順に訂正作業が行われている。この場合、質問番号５４について、回答者の適当な回答は、選択肢６１Ｃである。質問番号５１〜５４について回答を終了した場合、回答者は、チェックマーク９Ｍを終了ボックス７５内に筆記する（図４参照）。
【００４５】
図６を参照し、第一メイン処理を説明する。ＣＰＵ２１は、読取装置２の電源をオンにする操作を、入力部２５を介して検出した場合、フラッシュメモリ２３に記憶されたプログラムを実行することによって、第一メイン処理を開始する。ユーザは、読取装置２の電源をオンにした後、用紙１２３を有する紙媒体１００を装着部２Ａに装着する（図１参照）。
【００４６】
ＣＰＵ２１は、電子ペン３によって線画が筆記されているかを判断する（Ｓ１１）。電子ペン３のスイッチがオンとなると、ＡＳＩＣ２８Ａは座標データをＣＰＵ２１に出力する。ＣＰＵ２１は、ＡＳＩＣ２８Ａから出力された座標データを検出した場合、電子ペン３によって線画が筆記されていると判断する（Ｓ１１：ＹＥＳ）。ＣＰＵ２１は、ＡＳＩＣ２８Ａから出力された座標データを取得する。ＣＰＵ２１は、取得した座標データが検出された時刻を示す時間データを取得する。ＣＰＵ２１は、取得した座標データと取得した時間データとを関連付けて、ＲＡＭ２２の所定領域に記憶する（Ｓ１２）。
【００４７】
ＣＰＵ２１は、電子ペン３による筆記が終了されたかを判断する（Ｓ１３）。ＣＰＵ２１は、ＡＳＩＣ２８Ａから出力された座標データを検出した場合、電子ペン３による筆記が終了されていないと判断する（Ｓ１３：ＮＯ）。ＣＰＵ２１はＳ１２の処理を繰り返す。すなわち、電子ペン３による筆記が開始されてから終了されるまで（つまり、一単位の線画が筆記されている間）、ＣＰＵ２１は、Ｓ１２の処理を繰り返し実行する。電子ペン３のスイッチがオフとなると、ＡＳＩＣ２８ＡによるＣＰＵ２１への座標データの出力が終了する。ＣＰＵ２１は、ＡＳＩＣ２８Ａからの座標データを検出しない場合、電子ペン３による筆記が終了したと判断する（Ｓ１３：ＹＥＳ）。この場合、ＲＡＭ２２の所定領域は、電子ペン３によって筆記された一単位の線画を示す線画データが記憶された状態となっている。ＣＰＵ２１は、ＲＡＭ２２の所定領域に記憶された線画データを、図７に示すテーブル２２Ａに格納する（Ｓ１４）。図７に示すように、テーブル２２Ａには、線画データが、一単位の線画が筆記された順を示すインデックスと対応付けられて格納される。ＣＰＵ２１は、テーブル２２Ａに格納した線画データを、ＲＡＭ２２の所定領域から削除する。
【００４８】
図６に示すように、ＣＰＵ２１は、終了ボックス７５内に一単位の線画が筆記されたかを判断する（Ｓ１５）。詳細には、ＣＰＵ２１は、筆記された一単位の線画の少なくとも一部が終了ボックス７５内に筆記されたかを判断する。テーブル２２Ａに最も遅く格納された線画データに含まれる座標データのすべてが、終了領域９５外の位置を示している場合、ＣＰＵ２１は、終了ボックス７５外に一単位の線画が筆記されたと判断する（Ｓ１５：ＮＯ）。ＣＰＵ２１は、処理をＳ１１の処理に戻す。テーブル２２Ａに最も遅く格納された線画データに含まれる座標データの少なくとも１つが、終了領域９５内の位置を示している場合、ＣＰＵ２１は、終了ボックス７５内に一単位の線画が筆記されたと判断する（Ｓ１５：ＹＥＳ）。ＣＰＵ２１は、テーブル２２Ａ（図７参照）に基づいて、回答ファイルを作成する（Ｓ１６）。回答ファイルは、インデックスと対応付けられてテーブル２２Ａに格納されたすべての線画データを含む。ＣＰＵ２１は、作成した回答ファイルをフラッシュメモリ２３に記憶する。ＣＰＵ２１は、線画データをテーブル２２Ａから削除する。ＣＰＵ２１は、処理をＳ１１の処理に戻す。
【００４９】
ＣＰＵ２１は、ＡＳＩＣ２８Ａからの座標データを検出しない場合、電子ペン３によって線画が筆記されていないと判断する（Ｓ１１：ＮＯ）。ＣＰＵ２１は、無線通信部２４を介してＰＣ１９から、回答ファイルを送信するための取得コマンドを受信したかを判断する（Ｓ２１）。取得コマンドを受信していない場合（Ｓ２１：ＮＯ）、ＣＰＵ２１は、処理をＳ１１の処理に戻す。取得コマンドを受信した場合（Ｓ２１：ＹＥＳ）、ＣＰＵ２１は、回答ファイルがフラッシュメモリ２３に記憶されているかを判断する（Ｓ２２）。回答ファイルがフラッシュメモリ２３に記憶されていない場合（Ｓ２２：ＮＯ）、ＣＰＵ２１は、処理をＳ１１に戻す。回答ファイルがフラッシュメモリ２３に記憶されている場合（Ｓ２２：ＹＥＳ）、ＣＰＵ２１は、無線通信部２４を介してＰＣ１９に、回答ファイルを送信する（Ｓ２３）。ＣＰＵ２１は、送信した回答ファイルをフラッシュメモリ２３から削除する。
【００５０】
図４の例では、ＣＰＵ２１は、一単位の線画９Ａ〜９Ｍが筆記されるごとにＳ１１〜Ｓ１４の処理を実行することにより、各一単位の線画９Ａ〜９Ｍを示す線画データを、インデックスのＮｏ．１〜１３と対応付けてテーブル２２Ａに格納する（図７参照）。一単位の線画９Ａ〜９Ｌが筆記された場合、ＣＰＵ２１は、終了ボックス７５外に一単位の線画が筆記されたと判断する（Ｓ１５：ＮＯ）。一方、線画９Ｍが筆記された場合、ＣＰＵ２１は、終了ボックス７５内に一単位の線画が筆記されたと判断する（Ｓ１５：ＹＥＳ）。この場合、ＣＰＵ２１は、図７に示すテーブル２２Ａに基づいて回答ファイルを作成する（Ｓ１６）。ＣＰＵ２１は、作成した回答ファイルをフラッシュメモリ２３に記憶する。ＣＰＵ２１は、取得コマンドを受信した場合（Ｓ２１：ＹＥＳ）、図７に示すテーブル２２Ａに基づいて作成した回答ファイルを、無線通信部２４を介してＰＣ１９に送信する（Ｓ２３）。
【００５１】
図８を参照し、第二メイン処理を説明する。ＣＰＵ４１は、読取装置２と無線接続するためのアプリケーションの起動操作が、入力部１９１を介して行われた場合に、フラッシュメモリ４３に記憶されたプログラムに基づいて動作することで第二メイン処理を開始する。
【００５２】
ＣＰＵ４１は、取得コマンドを、無線通信部４４を介して読取装置２に一定間隔で送信する（Ｓ３１）。ＣＰＵ４１は、無線通信部４４を介して読取装置２から、回答ファイルを受信する（Ｓ３２）。ＣＰＵ４１は、受信した回答ファイルをＲＡＭ４２に記憶する。
【００５３】
ＣＰＵ４１は、ＲＡＭ４２に記憶された回答ファイルのインデックスを参照し、一単位の線画が筆記された順に１つの線画データを選択する（Ｓ３３）。すなわち、ＣＰＵ４１は、前回のＳ３３の処理で選択した線画データが示す一単位の線画の次に筆記された一単位の線画を示す線画データを選択する。ＣＰＵ４１は、選択された線画データに含まれる座標データ（以下、選択座標データという。）の少なくとも１つが、終了領域９５内の位置を示すかを判断する（Ｓ３４）。終了領域９５内の位置を示す座標データは、フラッシュメモリ４３にあらかじめ記憶されている。選択座標データのすべてが、終了領域９５外の位置を示す場合（Ｓ３４：ＮＯ）、ＣＰＵ４１は、選択座標データの少なくとも１つが、複数の対象領域のうちいずれかの内側の位置を示すかを判断する（Ｓ３５）。複数の対象領域の位置を示す座標データは、フラッシュメモリ４３にあらかじめ記憶されている。選択座標データのすべてが、複数の対象領域のすべての外側の位置を示している場合（Ｓ３５：ＮＯ）、ＣＰＵ４１は、処理をＳ３３の処理に戻す。
【００５４】
選択座標データの少なくとも１つが、複数の対象領域のいずれかの内側の位置を示している場合（Ｓ３５：ＹＥＳ）、ＣＰＵ４１は、選択座標データの少なくとも１つが内側の位置を示している対象領域（以下、特定対象領域という。）を特定する（Ｓ３６）。ＣＰＵ４１は、特定対象領域が属する一群の対象領域を特定する（Ｓ３７）。ＣＰＵ４１は、特定対象領域が属する一群の対象領域ごとに、以下説明するＳ４１以降の処理を実行する。これにより、複数の対象領域のそれぞれを示す複数の領域データのうち、特定対象領域を示す特定領域データが、所定の有効データまたは有効データとは異なる無効データとしてＲＡＭ４２に記憶される。有効データおよび無効データは、それぞれ、領域データのデータ種別である。本実施形態では、すべての領域データは、無効データとしてＲＡＭ４２にあらかじめ記憶されている。
【００５５】
ＣＰＵ４１は、選択された線画データが示す一単位の線画の長さが、所定の基準長さ未満であるかを判定する（Ｓ４１）。具体的には、ＣＰＵ４１は、選択座標データによって示される複数の位置の間を、関連付けられた複数の時間データによって示される時刻の順番に直線で結ぶ。ＣＰＵ４１は、各直線の長さを合計することで一単位の線画の長さを算出する。基準長さを示す基準データは、フラッシュメモリ４３にあらかじめ記憶されている。ＣＰＵ４１は、算出した一単位の線画の長さと、基準データが示す基準長さとを比較する。本実施形態では、基準長さは、選択ボックスの対角線の長さの２倍である。選択ボックスの対角線の長さの２倍の長さは、選択ボックス内に筆記可能な２つの線分からなる一単位の線画の最大長さである。この基準長さは、チェックマークのように２つの線分からなる一単位の線画が、選択ボックス内に筆記されることが想定される場合等に特に有効である。
【００５６】
ＣＰＵ４１は、Ｓ４１の処理によって、筆記された一単位の線画が、回答を選択するために筆記されたチェックマーク、および回答を訂正するために筆記された訂正線のいずれであるかを特定できる。これによれば、回答者は、アンケートにおいて訂正作業の第一工程を行う場合、基準長さよりも長い一単位の線画を筆記すればよい。つまり、回答者は、訂正線（一単位の線画）の形状を意識しなくてもよい。ＣＰＵ４１は、特定した一単位の線画が、チェックマークおよび訂正線のいずれであるかに応じて、以下説明する異なる処理を実行できる。
【００５７】
一単位の線画の長さが基準長さ未満の場合（Ｓ４１：ＹＥＳ）、ＣＰＵ４１は、特定した一群の対象領域について、複数の対象領域のいずれかを示す有効データが、ＲＡＭ４２に記憶されているかを判断する（Ｓ４２）。複数の対象領域のいずれかを示す有効データが、ＲＡＭ４２に記憶されていない場合（Ｓ４２：ＮＯ）、ＣＰＵ４１は、処理をＳ４４の処理に移行する。複数の対象領域のいずれかを示す有効データが、ＲＡＭ４２に記憶されている場合（Ｓ４２：ＹＥＳ）、ＣＰＵ４１は、ＲＡＭ４２に既に記憶されている、複数の対象領域のいずれかを示す有効データを、無効データとしてＲＡＭ４２に記憶する（Ｓ４３）。ＣＰＵ４１は、複数の領域データのうち特定領域データを、有効データとしてＲＡＭ４２に記憶する（Ｓ４４）。ＣＰＵ４１は、処理をＳ３３の処理に戻す。
【００５８】
一単位の線画の長さが基準長さ以上の場合（Ｓ４１：ＮＯ）、ＣＰＵ４１は、特定対象領域を示す有効データがＲＡＭ４２に記憶されているかを判断する（Ｓ５１）。特定対象領域を示す有効データがＲＡＭ４２に記憶されていない場合（Ｓ５１：ＮＯ）、ＣＰＵ４１は、処理をＳ３３の処理に戻す。特定対象領域を示す有効データがＲＡＭ４２に記憶されている場合（Ｓ５１：ＹＥＳ）、ＣＰＵ４１は、特定対象領域を示す有効データを、無効データとしてＲＡＭ４２に記憶する（Ｓ５２）。
【００５９】
ＣＰＵ４１は、特定した一群の対象領域について、Ｓ４３の処理で記憶された無効データがＲＡＭ４２に記憶されているかを判断する（Ｓ５３）。Ｓ４３の処理で記憶された無効データがＲＡＭ４２に記憶されていない場合（Ｓ５３：ＮＯ）、ＣＰＵ４１は、処理をＳ５３の処理に戻す。Ｓ４３の処理で記憶された無効データがＲＡＭ４２に記憶されている場合（Ｓ５３：ＹＥＳ）、ＣＰＵ４１は、Ｓ４３の処理でＲＡＭ４２に最も遅く記憶された無効データを、有効データとしてＲＡＭ４２に記憶する（Ｓ５４）。ＣＰＵ４１は、処理をＳ３３の処理に戻す。
【００６０】
選択座標データの少なくとも１つが、終了領域９５内の位置を示す場合（Ｓ３４：ＹＥＳ）、ＣＰＵ４１は、選択肢確定処理を実行する（Ｓ６１）。具体的には、ＣＰＵ４１は、有効データをフラッシュメモリ４３に記憶する。ＣＰＵ４１は、回答ファイルをＲＡＭ４２から削除する。これにより、質問番号ごとに、１つの有効データが確定される。各質問番号について、複数の選択肢のうちいずれが回答者の適当な回答であるかが特定される。ＣＰＵ４１は、処理をＳ３１の処理に戻す。
【００６１】
図３、図４、図５、図８、および図９を参照し、図４の例を挙げてデータ種別の流れを説明する。図９は、データ種別、有効データ、および無効データを、それぞれ、種別、有効、および無効と示している。図４の例では、先述したように、ＣＰＵ２１は、図７に示すテーブル２２Ａに基づいて作成した回答ファイルを、無線通信部２４を介してＰＣ１９に送信する（Ｓ２３、図６参照）。図８に示すように、ＣＰＵ４１は、テーブル２２Ａに基づいて作成された回答ファイルを受信する（Ｓ３２）。
【００６２】
ＣＰＵ４１は、回答ファイルのインデックスを参照し、一単位の線画９Ａ〜９Ｍの順に、それぞれを示す線画データのうちから１つを選択する（Ｓ３３）。すなわち、一単位の線画９Ａ〜９Ｍの順に、一単位の線画９Ａ〜９Ｍを示す各線画データについてＳ３４以降の処理が実行される。以下、各一単位の線画９Ａ〜９Ｍについて、Ｓ４１の処理よりも後の処理を説明する。
【００６３】
チェックマーク９Ａについて：チェックマーク９Ａは、選択ボックス７１Ａ内に筆記されている（Ｓ３４：ＮＯ、Ｓ３５：ＹＥＳ）。ＣＰＵ４１は、特定対象領域（対象領域９１Ａ）を特定し、特定した特定対象領域が属する一群の対象領域９１を特定する（Ｓ３６、Ｓ３７）。チェックマーク９Ａの長さは、基準長さ未満である（Ｓ４１：ＹＥＳ）。一群の対象領域９１について、複数の対象領域９１Ａ〜９１Ｃのいずれかを示す有効データは、ＲＡＭ４２に記憶されていない（Ｓ４２：ＮＯ）。ＣＰＵ４１は、複数の領域データのうち対象領域９１Ａを示す特定領域データを、有効データとしてＲＡＭ４２に記憶する（Ｓ４４、図９の矢印８Ａ参照）。
【００６４】
訂正線９Ｂについて：訂正線９Ｂは、選択ボックス７１Ａ内に筆記されている（Ｓ３４：ＮＯ、Ｓ３５：ＹＥＳ）。ＣＰＵ４１は、特定対象領域（対象領域９１Ａ）を特定し、特定した特定対象領域が属する一群の対象領域９１を特定する（Ｓ３６、Ｓ３７）。訂正線９Ｂの長さは、基準長さ以上である（Ｓ４１：ＮＯ）。ＲＡＭ４２には、対象領域９１Ａ（特定対象領域）を示す有効データが記憶されている（Ｓ５１：ＹＥＳ）。ＣＰＵ４１は、対象領域９１Ａを示す有効データを無効データとして記憶する（Ｓ５２、図９の矢印８Ｂ参照）。対象領域９１Ａ（特定対象領域）が属する一群の対象領域９１について、複数の対象領域９１Ａ〜９１Ｃのいずれかを示す無効データが、Ｓ４３の処理でＲＡＭ４２に記憶されていない（Ｓ５３：ＮＯ）。
【００６５】
チェックマーク９Ｃについて：チェックマーク９Ｃは、選択ボックス７１Ｂ内に筆記されている（Ｓ３４：ＮＯ、Ｓ３５：ＹＥＳ）。ＣＰＵ４１は、特定対象領域（対象領域９１Ｂ）を特定し、特定した特定対象領域が属する一群の対象領域９１を特定する（Ｓ３６、Ｓ３７）。チェックマーク９Ｃの長さは、基準長さ未満である（Ｓ４１：ＹＥＳ）。一群の対象領域９１について、複数の対象領域９１Ａ〜９１Ｃのいずれかを示す有効データは、ＲＡＭ４２に記憶されていない（Ｓ４２：ＮＯ）。ＣＰＵ４１は、複数の領域データのうち、対象領域９１Ｂを示す特定領域データを、有効データとしてＲＡＭ４２に記憶する（Ｓ４４、図９の矢印８Ｃ参照）。以上のように、質問番号５１について、第一工程、第二工程の順に訂正作業が行われた場合、ＣＰＵ４１は、一群の対象領域９１について、対象領域９１Ｂを示す領域データを有効データとして特定できる。
【００６６】
チェックマーク９Ｄについて：チェックマーク９Ｄは、選択ボックス７２Ａ内に筆記されている（Ｓ３４：ＮＯ、Ｓ３５：ＹＥＳ）。ＣＰＵ４１は、特定対象領域（対象領域９２Ａ）を特定し、特定した特定対象領域が属する一群の対象領域９２を特定する（Ｓ３６、Ｓ３７）。チェックマーク９Ｄの長さは、基準長さ未満である（Ｓ４１：ＹＥＳ）。一群の対象領域９２について、複数の対象領域９２Ａ〜９２Ｃのいずれかを示す有効データが、ＲＡＭ４２に記憶されていない（Ｓ４２：ＮＯ）。ＣＰＵ４１は、複数の領域データのうち、対象領域９２Ａを示す特定領域データを、有効データとしてＲＡＭ４２に記憶する（Ｓ４４、図９の矢印８Ｄ参照）。
【００６７】
チェックマーク９Ｅについて：チェックマーク９Ｅは、選択ボックス７２Ｂ内に筆記されている（Ｓ３４：ＮＯ、Ｓ３５：ＹＥＳ）。ＣＰＵ４１は、特定対象領域（対象領域９２Ｂ）を特定し、特定した特定対象領域が属する一群の対象領域９２を特定する（Ｓ３６、Ｓ３７）。チェックマーク９Ｅの長さは、基準長さ未満である（Ｓ４１：ＹＥＳ）。一群の対象領域９２について、対象領域９２Ａを示す有効データが、ＲＡＭ４２に記憶されている（Ｓ４２：ＹＥＳ）。ＣＰＵ４１は、対象領域９２Ａを示す有効データを無効データとしてＲＡＭ４２に記憶する（Ｓ４３、図９の矢印８１Ｅ参照）。ＣＰＵ４１は、複数の領域データのうち、対象領域９２Ｂを示す特定領域データを、有効データとしてＲＡＭ４２に記憶する（Ｓ４４、図９の矢印８２Ｅ参照）。
【００６８】
訂正線９Ｆについて：訂正線９Ｆは、選択ボックス７２Ａ内に筆記されている（Ｓ３４：ＮＯ、Ｓ３５：ＹＥＳ）。ＣＰＵ４１は、特定対象領域（対象領域９２Ａ）を特定し、特定した特定対象領域が属する一群の対象領域９２を特定する（Ｓ３６、Ｓ３７）。訂正線９Ｆの長さは、基準長さ以上である（Ｓ４１：ＮＯ）。ＲＡＭ４２には、対象領域９２Ａ（特定対象領域）を示す有効データが記憶されていない（Ｓ５１：ＮＯ）。ＣＰＵ４１は、処理をＳ３３の処理に戻す（図９の矢印８Ｆ参照）。以上のように、質問番号５２について、第二工程、第一工程の順に訂正作業が行われた場合、ＣＰＵ４１は、一群の対象領域９２について、対象領域９２Ｂを示す領域データを有効データとして特定できる。
【００６９】
チェックマーク９Ｇについて：チェックマーク９Ｇは、選択ボックス７３Ｂ内に筆記されている（Ｓ３４：ＮＯ、Ｓ３５：ＹＥＳ）。ＣＰＵ４１は、特定対象領域（対象領域９３Ｂ）を特定し、特定した特定対象領域が属する一群の対象領域９３を特定する（Ｓ３６、Ｓ３７）。チェックマーク９Ｇの長さは、基準長さ未満である（Ｓ４１：ＹＥＳ）。一群の対象領域９３について、複数の対象領域９３Ａ〜９３Ｃのいずれかを示す有効データが、ＲＡＭ４２に記憶されていない（Ｓ４２：ＮＯ）。ＣＰＵ４１は、複数の領域データのうち、対象領域９３Ｂを示す特定領域データを、有効データとしてＲＡＭ４２に記憶する（Ｓ４４、図９の矢印８Ｇ参照）。
【００７０】
チェックマーク９Ｈについて：チェックマーク９Ｈは、選択ボックス７３Ａ内に筆記されている（Ｓ３４：ＮＯ、Ｓ３５：ＹＥＳ）。ＣＰＵ４１は、特定対象領域（対象領域９３Ａ）を特定し、特定した特定対象領域が属する一群の対象領域９３を特定する（Ｓ３６、Ｓ３７）。チェックマーク９Ｈの長さは、基準長さ未満である（Ｓ４１：ＹＥＳ）。一群の対象領域９３について、対象領域９３Ｂを示す有効データが、ＲＡＭ４２に記憶されている（Ｓ４２：ＹＥＳ）。ＣＰＵ４１は、対象領域９３Ｂを示す有効データを無効データとしてＲＡＭ４２に記憶する（Ｓ４３、図９の矢印８１Ｈ参照）。ＣＰＵ４１は、複数の領域データのうち、対象領域９３Ａを示す特定領域データを、有効データとしてＲＡＭ４２に記憶する（Ｓ４４、図９の矢印８２Ｈ参照）。
【００７１】
訂正線９Ｉについて：訂正線９Ｉは、選択ボックス７３Ａ内に筆記されている（Ｓ３４：ＮＯ、Ｓ３５：ＹＥＳ）。ＣＰＵ４１は、特定対象領域（対象領域９３Ａ）を特定し、特定した特定対象領域が属する一群の対象領域９３を特定する（Ｓ３６、Ｓ３７）。訂正線９Ｉの長さは、基準長さ以上である（Ｓ４１：ＮＯ）。ＲＡＭ４２には、対象領域９３Ａ（特定対象領域）を示す有効データが記憶されている（Ｓ５１：ＹＥＳ）。ＣＰＵ４１は、対象領域９３Ａを示す有効データを無効データとして記憶する（Ｓ５２、図９の矢印８１Ｉ参照）。一群の対象領域９３について、対象領域９３Ｂを示す領域データは、Ｓ４３の処理で無効データとしてＲＡＭ４２に記憶されている（Ｓ５３：ＹＥＳ）。ＣＰＵ４１は、対象領域９３Ｂを示す無効データ（Ｓ４３の処理でＲＡＭ４２に最も遅く記憶された無効データ）を、有効データとしてＲＡＭ４２に記憶する（Ｓ５４、図９の矢印８２Ｉ参照）。以上のように、質問番号５３について、第二工程、第一工程の順に訂正作業が行われた場合、ＣＰＵ４１は、一群の対象領域９３について、対象領域９３Ｂを示す領域データを有効データとして特定できる。
【００７２】
チェックマーク９Ｊについて：チェックマーク９Ｊは、選択ボックス７４Ｃ内に筆記されている（Ｓ３４：ＮＯ、Ｓ３５：ＹＥＳ）。ＣＰＵ４１は、特定対象領域（対象領域９４Ｃ）を特定し、特定した特定対象領域が属する一群の対象領域９４を特定する（Ｓ３６、Ｓ３７）。チェックマーク９Ｊの長さは、基準長さ未満である（Ｓ４１：ＹＥＳ）。一群の対象領域９４について、複数の対象領域９４Ａ〜９４Ｃのいずれかを示す有効データが、ＲＡＭ４２に記憶されていない（Ｓ４２：ＮＯ）。ＣＰＵ４１は、複数の領域データのうち、対象領域９４Ｃを示す特定領域データを、有効データとしてＲＡＭ４２に記憶する（Ｓ４４、図９の矢印８Ｊ参照）。
【００７３】
訂正線９Ｋについて：訂正線９Ｋは、選択ボックス７４Ｃ内に筆記されている（Ｓ３４：ＮＯ、Ｓ３５：ＹＥＳ）。ＣＰＵ４１は、特定対象領域（対象領域９４Ｃ）を特定し、特定した特定対象領域が属する一群の対象領域９４を特定する（Ｓ３６、Ｓ３７）。訂正線９Ｋの長さは、基準長さ以上である（Ｓ４１：ＮＯ）。ＲＡＭ４２には、対象領域９４Ｃ（特定対象領域）を示す有効データが記憶されている（Ｓ５１：ＹＥＳ）。ＣＰＵ４１は、対象領域９４Ｃを示す有効データを、無効データとして記憶する（Ｓ５２、図９の矢印８Ｋ参照）。一群の対象領域９４について、複数の対象領域９４Ａ〜９４Ｃのいずれかを示す無効データが、Ｓ４３の処理でＲＡＭ４２に記憶されていない（Ｓ５３：ＮＯ）。
【００７４】
チェックマーク９Ｌについて：チェックマーク９Ｌは、選択ボックス７４Ｃの上側近傍に筆記されている。例えば、選択ボックスに線画が既に筆記されている場合、回答者は、選択ボックスの周囲近傍に一単位の線画を筆記する。本実施形態では、長さＡ１および長さＡ２が、それぞれ、長さＢ１および長さＢ２よりも長いため、選択ボックスの周囲近傍は、対象領域に対応する領域に含まれている。一単位の線画９Ｌは、用紙１２３において、対象領域９４Ｃに対応する領域に筆記されている。このため、チェックマーク９Ｌについて、ＣＰＵ４１は、線画データに含まれる座標データ（選択座標データ）の少なくとも１つは、複数の対象領域のいずれかの内側の位置を示していると判断できる（Ｓ３４：ＮＯ、Ｓ３５：ＹＥＳ）。ＣＰＵ４１は、特定対象領域（対象領域９４Ｃ）を特定し、特定した特定対象領域が属する一群の対象領域９４を特定する（Ｓ３６、Ｓ３７）。チェックマーク９Ｌの長さは、基準長さ未満である（Ｓ４１：ＹＥＳ）。一群の対象領域９４について、複数の対象領域９４Ａ〜９４Ｃのいずれかを示す有効データが、ＲＡＭ４２に記憶されていない（Ｓ４２：ＮＯ）。ＣＰＵ４１は、複数の領域データのうち、対象領域９４Ｃを示す特定領域データを、有効データとしてＲＡＭ４２に記憶する（Ｓ４４、図９の矢印８Ｌ参照）。以上のように、質問番号５４について、第一工程、第二工程の順に訂正作業が行われた場合、ＣＰＵ４１は、一群の対象領域９４について、対象領域９４Ｃを示す領域データを有効データとして特定できる。
【００７５】
一単位の線画９Ｍについて：一単位の線画９Ｍは、終了ボックス７５内に筆記されている（Ｓ３４：ＹＥＳ）。ＣＰＵ４１は、選択肢確定処理を実行する（Ｓ６１）。具体的には、ＣＰＵ４１は、対象領域９１Ｂ，９２Ｂ，９３Ｂ，９４Ｃをそれぞれ示す複数の有効データを、フラッシュメモリ４３に記憶する。ＣＰＵ４１は、回答ファイルをＲＡＭ４２から削除する。これにより、質問番号ごとに、１つの有効データが確定される。すなわち、質問番号５１について、選択ボックス７１Ｂが対応する選択肢６１Ｂが回答者の適当な回答であると特定される。質問番号５２について、選択ボックス７２Ｂが対応する選択肢６１Ｂが回答者の適当な回答であると特定される。質問番号５３について、選択ボックス７３Ｂが対応する選択肢６１Ｂが回答者の適当な回答であると特定される。質問番号５４について、選択ボックス７４Ｃが対応する選択肢６１Ｃが回答者の適当な回答であると特定される。
【００７６】
以上説明したように、一単位の線画の長さが基準長さ未満の場合（Ｓ４１：ＹＥＳ）、ＣＰＵ４１は、複数の領域データのうち特定領域データを、有効データとしてＲＡＭ４２に記憶する（Ｓ４４）。一方、一単位の線画の長さが基準長さ以上の場合（Ｓ４１：ＮＯ）、複数の領域データのうち特定領域データを、無効データとしてＲＡＭ４２に記憶する（Ｓ５２）。一単位の線画の長さに応じて異なる処理が実行される。従って、ＣＰＵ４１は、複数の対象領域のうち少なくとも１つに対応する線画データに応じて、適切な処理を実行できる。
【００７７】
一単位の線画の長さが基準長さ未満の場合（Ｓ４１：ＹＥＳ）、ＣＰＵ４１は、有効データをＲＡＭ４２に記憶する（Ｓ４３）。ＲＡＭ４２に既に有効データが記憶されている場合がある（Ｓ４２：ＹＥＳ）。この場合、ＣＰＵ４１は、ＲＡＭ４２に有効データを記憶する前に、ＲＡＭ４２に既に記憶されている有効データを、無効データとしてＲＡＭ４２に記憶する（Ｓ４２）。このため、ＣＰＵ４１は、１つの領域データを有効データとして特定できる。
【００７８】
例えば、アンケートにおいて、回答者は、第一の選択ボックスにチェックマークを筆記した後、第二の選択ボックスにチェックマークを筆記する場合がある。その後、回答者は、第二の選択ボックスに訂正線を筆記する場合がある。この場合、回答者の適当な回答は、第一の選択ボックスに対応する選択肢である。この例では、第一の選択ボックスにチェックマークが筆記されることにより、ＣＰＵ４１は、第一の選択ボックスに対応する対象領域を示す領域データを、有効データとしてＲＡＭ４２に記憶する（Ｓ４４）。第二の選択ボックスにチェックマークが筆記されることにより、ＣＰＵ４１は、第一の選択ボックスに対応する対象領域を示す有効データを、無効データとしてＲＡＭ４２に記憶する（Ｓ４３）。ＣＰＵ４１は、第二の選択ボックスに対応する対象領域を示す領域データを、有効データとしてＲＡＭ４２に記憶する。第二の選択ボックスに訂正線が筆記されることにより、ＣＰＵ４１は、第二の選択ボックスに対応する対象領域（特定対象領域）を示す有効データを、無効データとしてＲＡＭ４２に記憶する（Ｓ５２）。ＣＰＵ４１は、ＲＡＭ４２に記憶されている無効データのうち、Ｓ４３の処理でＲＡＭ４２に最も遅く記憶した無効データ（第一の選択ボックスに対応する対象領域を示す無効データ）を、有効データとしてＲＡＭ４２に記憶する（Ｓ５４）。これにより、ＣＰＵ４１は、第一の選択ボックスに対応する選択肢を、回答者の適当な回答と特定できる。すなわち、ＣＰＵ４１は、回答者の適当な回答である選択肢に対応する選択ボックスを特定できる。
【００７９】
例えば、図４および図５の例のように一単位の線画が筆記された場合、チェックマーク９ＣについてＳ３３以降の処理が実行された時点では、対象領域９１Ｂを示す領域データが、有効データとして記憶されている。この場合において、一群の対象領域ごとに領域データを有効データまたは無効データとしてＲＡＭ４２に記憶しない場合を仮定する。この場合、チェックマーク９ＤについてＳ３３以降の処理が実行されると、対象領域９１Ｂを示す有効データが無効データとなり、対象領域９２Ａを示す領域データが有効データとなる。つまり、質問番号５１についての回答者の回答を特定できない。本実施形態では、ＣＰＵ４１は、一群の対象領域ごとに各対象領域を示す領域データを、有効データまたは無効データとしてＲＡＭ４２に記憶できる。このため、ＣＰＵ４１は、質問番号ごとに回答者の回答を特定できる。従って、ユーザは、１ページの用紙１２３に複数の質問を設けることができる。ＣＰＵ４１は、例えばアンケートの集計処理を効率よく実行できる。
【００８０】
例えば、選択ボックス内に、チェックマーク、訂正線等の線画が既に筆記されている場合がある。この場合、選択ボックス内において、線画を筆記するための領域が小さいため、回答者は、選択ボックス外に一単位の線画を筆記する可能性がある。本実施形態では、長さＡ１は、長さＢ１よりも長い。長さＡ２は、長さＢ２よりも長い。すなわち、対象領域の形状は、選択ボックスの形状よりも大きい。このため、選択ボックス外に線画が筆記されたとしても、対象領域内に位置していれば、ＣＰＵ４１は、Ｓ３６以降の処理を実行できる。すなわち、回答者が選択ボックス外に一単位の線画を筆記した場合でも、ＣＰＵ４１は、その選択ボックスに対応する対象領域を示す領域データが、有効データおよび無効データのいずれであるかを判断できる。
【００８１】
本実施形態において、ＣＰＵ４１が本発明の「コンピュータ」に相当する。センサ基板７が本発明の「検出部」に相当する。図８のＳ３２の処理が本発明の「取得ステップ」に相当する。図８のＳ３５の処理が本発明の「第一判断ステップ」に相当する。図８のＳ４１の処理が本発明の「判定ステップ」に相当する。有効データが本発明の「第一データ」に相当する。ＲＡＭ４２が本発明の「記憶部」に相当する。図８のＳ４４の処理が本発明の「第一記憶ステップ」に相当する。無効データが本発明の「第二データ」に相当する。図８のＳ５２の処理が本発明の「第二記憶ステップ」に相当する。図８のＳ４３の処理が本発明の「第三記憶ステップ」に相当する。図８のＳ５４の処理が本発明の「第四記憶ステップ」に相当する。Ｘ軸方向（左右方向）が本発明の「第一方向」に相当する。Ｙ軸方向（上下方向）が本発明の「第二方向」に相当する。選択ボックスが本発明の「選択領域」に相当する。用紙１２３（用紙１１１）が本発明の「筆記領域」に相当する。電子ペン３が本発明の「筆記具」に相当する。無線通信部２４が本発明の「送信手段」に相当する。読取装置２が本発明の「入力装置」に相当する。図８のＳ３２の処理を実行するＣＰＵ４１が本発明の「取得手段」に相当する。図８のＳ３５の処理を実行するＣＰＵ４１が本発明の「第一判断手段」に相当する。図８のＳ４１の処理を実行するＣＰＵ４１が本発明の「判定手段」に相当する。図８のＳ４４の処理を実行するＣＰＵ４１が本発明の「第一記憶手段」に相当する。図８のＳ５２の処理を実行するＣＰＵ４１が本発明の「第二記憶手段」に相当する。ＰＣ１９が本発明の「筆記データ処理装置」に相当する。
【００８２】
本発明は、上記実施形態に限定されず、種々の変更が可能である。例えば、第二メイン処理の一部の処理は、ＣＰＵ２１によって実行されてもよい。ＣＰＵ２１は、回答ファイルを作成した場合に（Ｓ１６）、Ｓ３３以降の処理を実行してもよい。ＣＰＵ２１は、筆記が終了された場合に（Ｓ１３：ＹＥＳ）、Ｓ３４以降の処理を実行してもよい。つまり、ＣＰＵ２１は、一単位の線画が筆記されるごとに、Ｓ３４以降の処理を実行してもよい。
【００８３】
基準長さは、選択ボックスの対角線の２倍の長さに設定されている。選択ボックスの一辺を直径とした円の円周が、基準長さとして設定されてもよい。選択ボックスの一辺を直径とした円の円周は、選択ボックス内に筆記可能な円の最大直径である。例えば、この基準長さは、丸が選択ボックスに筆記されることが想定される場合等に特に有効である。他の長さが基準長さとして設定されてもよい。選択ボックスに筆記されることが想定される形状の一単位の線画を、選択ボックス内に筆記可能な最大長さを、基準長さとして設定することが好ましい。例えば、選択ボックスに筆記する一単位の線画の形状を、用紙１１１に印刷して例示してもよい。基準長さは、ユーザによって変更できてもよい。
【００８４】
選択ボックスおよび対象領域は、円状、長方形状等、他の形状であってもよい。終了ボックス７５および終了領域９５も他の形状であってもよい。選択ボックスは対象領域とは異なる形状であってもよい。長さＡ２を長さＢ２よりも長くし、長さＡ１を長さＢ１と等しく設定してもよい。回答者は、アンケートに回答する際、選択ボックスに既に線画が筆記されていると、選択ボックスの上側または下側にチェックマークを筆記することが多いためである。
【００８５】
用紙１２３は、例えば、一群の選択ボックス７１のみを有してもよい。つまり、１ページの用紙１２３に１つの質問の回答を記載する構成が採用されてもよい。この場合、検出領域９０は、複数の対象領域９１Ａ〜９１Ｃのみを有してもよい。ＣＰＵ４１は、Ｓ３７の処理を省略できる。
【００８６】
上記実施形態では、一単位の線画は、線画の筆記が開始されてから終了されるまで、一連の筆記で筆記される線画である。一単位の線画は、線画の筆記が開始されてから所定時間（例えば１秒）が経過するまでに筆記される線画であってもよい。例えば、ユーザが訂正線を筆記する際に芯体３１が用紙１１１から一旦離れ、複数の線画によって訂正線が形成される場合がある。この場合においても、ＣＰＵ４１は、筆記された線画が訂正線と適切に判断できる。
【００８７】
ＣＰＵ４１は、Ｓ４３、Ｓ５３、およびＳ５４の処理を省略できる。チェックマークが一度筆記された選択ボックスに対応する選択領域を示す領域データは、有効データとしてＲＡＭ４２に記憶される。ＲＡＭ４２に記憶された有効データは、チェックマークが筆記された選択ボックスに訂正線が筆記されない限り、無効データとしてＲＡＭ４２に記憶されない。これによれば、複数の選択肢を選択可能なアンケートの場合に有効である。
【００８８】
ＣＰＵ２１は、回答ファイルを送信する代わりに、一単位の線画が筆記されるごとに線画データをＰＣ１９に送信してもよい。この場合、ＣＰＵ４１は、ＰＣ１９から受信した線画データごとにＳ３４以降の処理を実行してもよい。上記実施形態において、ＣＰＵ４１は、データをＲＡＭ４２またはフラッシュメモリ４３に記憶する。ＣＰＵ４１は、図示外の記憶装置にデータを記憶してもよい。電子ペン３の位置を検出する方法は、上記実施形態とは異なる方法であってもよい。例えば、公知のペンタブレット等が読取装置２の代わりに入力装置として採用されてもよい。
【符号の説明】
【００８９】
１  筆記データ処理システム
２  読取装置
３  電子ペン
７  センサ基板
１９  ＰＣ
２１  ＣＰＵ
２４  無線通信部
４１  ＣＰＵ
４２  ＲＡＭ
４３  フラッシュメモリ
７１Ａ〜７１Ｃ，７２Ａ〜７２Ｃ，７３Ａ〜７３Ｃ，７４Ａ〜７４Ｃ  選択ボックス
９１Ａ〜９１Ｃ，９２Ａ〜９２Ｃ，９３Ａ〜９３Ｃ，９４Ａ〜９４Ｃ  対象領域
１１１，１２３  用紙
【図１】
2017174149.tif 000003
【図２】
2017174149.tif 000004
【図３】
2017174149.tif 000005
【図４】
2017174149.tif 000006
【図５】
2017174149.tif 000007
【図６】
2017174149.tif 000008
【図７】
2017174149.tif 000009
【図８】
2017174149.tif 000010
【図９】
2017174149.tif 000011